(57)【要約】【課題】  複数の通信方式に対応した無線通信端末装置において、サービス享受可能なネットワークの検出に要する時間を短縮する。【解決手段】  国番号と国番号が示す国において使用されているＣＤＭＡ方式の無線周波数を示すデータ（周波数データ）とを対応させて周波数一覧格納部にあらかじめ格納する。ＴＤＭＡ方式の無線通信サービスを利用して基地局から国番号を取得する。そして、取得した国番号に対応する周波数データを周波数一覧格納部から抽出する。さらに、抽出した周波数データが示す周波数で、サービス享受が可能か否かを調べるためのネットワーク検索を実行する。【選択図】  図３
2006314037.tif 000002
【特許請求の範囲】
【請求項１】
ＣＤＭＡ方式によって無線通信を行う第１の無線通信手段と、ＣＤＭＡ方式とは異なる通信方式によって無線通信を行う第２の無線通信手段とを備えた無線通信端末装置において、
国番号に対応するＣＤＭＡ方式を利用した基地局の周波数一覧表を格納する周波数一覧格納部と、
前記第２の無線通信手段と基地局との間の通信を介して基地局から国番号を取得する国番号取得手段と、
前記国番号取得手段が取得した国番号にもとづいて前記周波数一覧格納部を検索することによって基地局が使用している周波数を特定する周波数特定手段と、
前記周波数特定手段が特定した周波数で、サービス享受可能なネットワークを検索するネットワーク検索を実行するネットワーク検索実行手段と
を備えたことを特徴とする無線通信端末装置。
【請求項２】
最後に位置登録していたときに使用した周波数を記憶する位置登録周波数格納部を備え、
ネットワーク検索実行手段は、周波数特定手段が特定した周波数でのネットワーク検索の実行に先立って、前記位置登録周波数格納部に記憶されている周波数でのネットワーク検索を実行する
請求項１記載の無線通信端末装置。
【請求項３】
利用者が情報を入力するための入力部を備え、
周波数一覧格納部は、国番号を特定可能な情報を格納し、
国番号取得手段は、前記入力部に国番号を特定可能な情報が入力された場合に、入力された情報にもとづいて前記周波数一覧格納部における国番号を特定する
請求項１または請求項２記載の無線通信端末装置。
【請求項４】
第２の無線通信手段は、ＴＤＭＡ方式によって無線通信を行う
請求項１から請求項３のうちのいずれか１項に記載の無線通信端末装置。
【請求項５】
ネットワーク検索実行手段がサービス享受可能なネットワークを見いだした場合には第１の無線通信手段を介して位置登録を実行し、前記ネットワーク検索実行手段がサービス享受可能なネットワークを見いだせなかった場合には第２の無線通信手段を介して位置登録を実行する位置登録実行手段を備えた
請求項１から請求項４のうちのいずれか１項に記載の無線通信端末装置。
【請求項６】
ＣＤＭＡ方式によって無線通信を行う第１の無線通信手段と、ＣＤＭＡ方式とは異なる通信方式によって無線通信を行う第２の無線通信手段とを備えた無線通信端末装置によるネットワーク検索方法であって、
あらかじめ、国番号に対応するＣＤＭＡ方式を利用した基地局の周波数一覧表を格納し、
前記第２の無線通信手段と基地局との間の通信を介して基地局から国番号を取得し、
取得した国番号にもとづいて前記周波数一覧格納部を検索することによって基地局が使用している周波数を特定し、
特定した周波数で、サービス享受可能なネットワークを検索するネットワーク検索を実行する
ことを特徴とするネットワーク検索方法。
【請求項７】
最後に位置登録していたときに使用した周波数を記憶し、
周波数一覧格納部を検索することによって特定した周波数でのネットワーク検索の実行に先立って、記憶されている前記周波数でのネットワーク検索を実行する
請求項６記載のネットワーク検索方法。
【請求項８】
周波数一覧格納部に、国番号を特定可能な情報をあらかじめ格納し、
国番号を特定可能な情報が無線通信端末装置に入力された場合に、入力された情報にもとづいて前記周波数一覧格納部における国番号を特定する
請求項６または請求項７記載のネットワーク検索方法。
【発明の詳細な説明】
【技術分野】
【０００１】
本発明は、移動体通信などの無線通信に用いられ複数種類の通信方式に対応した無線通信端末装置、および無線通信端末装置におけるネットワーク検索方法に関する。
【背景技術】
【０００２】
移動体通信の発達に伴って、周波数の利用効率を向上させるために各種の多重通信方式が提案されてきた。その結果、現在では、時分割多重通信方式（以下、ＴＤＭＡ方式という。）を利用した無線通信サービスや、符号分割多重通信方式（以下、ＣＤＭＡ方式という。）を利用した無線通信サービスが広く提供されている。ＴＤＭＡ方式は、通信するチャネルを時間単位で利用者に割り当てる方式である。ＣＤＭＡ方式は、通信するチャネルを符号単位で利用者に割り当てる方式である。ＴＤＭＡ方式を利用した無線通信サービスとしてＧＳＭ（Global System Mobile）方式による無線通信サービス等がある。ＣＤＭＡ方式を利用した無線通信サービスとしてＣＤＭＡ２０００方式やＷ−ＣＤＭＡ方式による無線通信サービス等がある。
【０００３】
ＣＤＭＡ方式では、通信に用いる信号のスペクトラムを広帯域に拡散するスペクトラム拡散と呼ばれる技術が用いられている。スペクトラム拡散は、送信信号のスペクトラムに疑似乱数符号を掛け合わせて、スペクトラムを広帯域に拡散した上で信号を送信する。そして、受信する際に、送信信号のスペクトラムを拡散するときに掛け合わせた疑似乱数符号と同一の符号を、送信信号のスペクトラムに疑似乱数符号を掛け合わせたタイミングと同一タイミングで、受信信号に掛け合わせないと復調できないという特徴を有している。従って、秘匿性を高くすることができる。
【０００４】
送信信号のスペクトラムを拡散させる際に用いる疑似乱数符号として、符号系列の先頭で自己相関が最大になるという特徴を有する符号が選択される。疑似乱数符号として、一般にＰＮ（Pseudo Noise）符号が用いられる。受信機は、受信した信号から疑似乱数符号の先頭を検出することによって、受信信号に疑似乱数符号が掛け合わされたタイミングを検出することができる。すなわち、受信機は、受信信号と疑似乱数符号との相互相関を取り、疑似乱数符号の先頭を検出しなければ、受信信号を復調することができない。
【０００５】
また、無線通信サービスの多様化に応じて、複数の通信方式に対応した無線通信端末装置、例えば、ＴＤＭＡ方式による通信機能とＣＤＭＡ方式による通信機能との双方を備えた無線通信端末装置が提案されている（例えば、特許文献１，２，３参照）。
【０００６】
【特許文献１】特開２００４−８０２２４号公報（段落００４４−００４６、図１）
【特許文献２】特開２００４−３２０４４６号公報（段落００２６、図１）
【特許文献３】特開２００５−１２２６９号公報（段落０００５、図１）
【発明の開示】
【発明が解決しようとする課題】
【０００７】
疑似乱数符号の符号長を長くすると、さらに高い秘匿性が実現できる。しかし、ＣＤＭＡ方式を用いた無線通信端末装置に電源が投入され、基地局を検出するまでの間に、無線通信端末装置において、受信周波数同期の確立、受信信号と擬似乱数符号の相互相関計算、擬似乱数符号の同期確立、受信信号の復調などの処理が必要である。疑似乱数符号の符号長を長くすると、無線通信端末装置では疑似乱数符号の先頭の検出に時間がかかってしまうという問題が生ずる。すなわち、無線通信端末装置における受信信号の復調に時間がかかってしまう。より具体的には、無線通信端末装置が通信する基地局の検出、および同期確立に時間がかかってしまう。
【０００８】
また、無線通信端末装置に電源が投入されると、無線通信端末装置は、現在のエリアが、サービス享受可能なエリアか否か検索を実行する。具体的には、電源投入後、無線通信端末装置に受信周波数が設定され、周波数同期が確立される。周波数同期が確立されると、擬似乱数符号の相互相関計算が実行され、擬似乱数符号との同期が確立される。擬似乱数符号との同期が確立されると、受信信号の復調を実施し、基地局から常時送信されている報知情報の復調を実行する。そして、報知情報内の事業者番号および国番号を取り出し、事業者番号および国番号に従って、サービスの享受が可能なエリアか否かの判断を実行する。このようにして、無線通信端末装置のネットワーク検索方法が実行される。
【０００９】
受信周波数は、無線通信端末装置に設けられたメモリに格納されている周波数情報にもとづいて設定される。無線通信端末装置に設けられたメモリに格納されている周波数情報は、
（１）最後に位置登録していたときの受信周波数
（２）過去に位置登録したときに使用した複数の受信周波数
（３）事業者によってあらかじめ指定されている複数の受信周波数
（４）ユーザによって設定された複数の受信周波数
などである。
最後に位置登録していた受信周波数から順次ネットワークの検索が実行される。すなわち、無線通信端末装置に電源が投入されると、無線通信端末装置は、最後に位置登録していた受信周波数によってネットワークの検索を実施する。そして、最後に位置登録していたときの受信周波数でサービス享受が可能なネットワークが検出できなかった場合には、過去に位置登録したときに使用した受信周波数でのネットワーク検索、事業者によってあらかじめ指定されている受信周波数でのネットワーク検索、ユーザーによって設定された受信周波数でのネットワーク検索の順に、ネットワーク検索を実行する。
【００１０】
無線通信端末装置に設けられたメモリに格納されている全ての受信周波数でのネットワーク検索を実行しても、サービス享受可能なネットワークを検出できなかった場合には、通信可能な全周波数でのネットワーク検索を実施する。この場合、無線通信端末装置では、設定された受信周波数に応じて、毎回、受信周波数同期の確立、擬似乱数符号同期の確立、報知情報の復調を繰り返す。よって、例えば、渡航の場合など、過去も含め、一度もサービスを享受したことのないエリアでのネットワーク検索の場合に、サービス享受可能なネットワークの検出に時間がかかるという問題が発生する。
【００１１】
そこで、本発明は、複数の通信方式に対応した無線通信端末装置において、一度もサービスを享受したことのないエリアでのネットワーク検索の場合に、設定された受信周波数に応じて、毎回、受信周波数同期の確立、擬似乱数符号同期の確立、報知情報の復調などの処理を繰り返す必要がなくなるようにして、サービス享受可能なネットワークの検出に要する時間を短縮することを目的とする。
【課題を解決するための手段】
【００１２】
本発明による無線通信端末装置は、ＣＤＭＡ方式によって無線通信を行う第１の無線通信手段と、ＣＤＭＡ方式とは異なる通信方式によって無線通信を行う第２の無線通信手段とを備えた無線通信端末装置であって、国番号に対応するＣＤＭＡ方式を利用した基地局の周波数一覧表を格納する周波数一覧格納部と、第２の無線通信手段と基地局との間の通信を介して基地局から国番号を取得する国番号取得手段と、国番号取得手段が取得した国番号にもとづいて周波数一覧格納部を検索することによって基地局が使用している周波数を特定する周波数特定手段と、周波数特定手段が特定した周波数で、サービス享受可能なネットワークを検索するネットワーク検索を実行するネットワーク検索実行手段とを備えたことを特徴とする。
【００１３】
本発明によるネットワーク検索方法は、ＣＤＭＡ方式によって無線通信を行う第１の無線通信手段と、ＣＤＭＡ方式とは異なる通信方式によって無線通信を行う第２の無線通信手段とを備えた無線通信端末装置によるネットワーク検索方法であって、あらかじめ国番号に対応するＣＤＭＡ方式を利用した基地局の周波数一覧表を格納し、第２の無線通信手段と基地局との間の通信を介して基地局から国番号を取得し、取得した国番号にもとづいて周波数一覧格納部を検索することによって基地局が使用している周波数を特定し、特定した周波数で、サービス享受可能なネットワークを検索するネットワーク検索を実行することを特徴とする。
【発明の効果】
【００１４】
本発明によれば、無線通信端末装置が、ＣＤＭＡ方式とは異なる通信方式によって無線通信を行う第２の無線通信手段を介して国番号を取得し、取得した国番号にもとづいて周波数一覧格納部を検索することによって基地局が使用している周波数を特定し、特定した周波数でネットワーク検索を実行するので、設定された受信周波数に応じて、毎回、受信周波数同期の確立、擬似乱数符号同期の確立、報知情報の復調などの処理を繰り返す必要がなくなり、サービス享受可能なネットワークを迅速に検出できるようになる。
【００１５】
また、入力部に国番号を特定可能な情報が入力された場合に、入力された情報にもとづいて周波数一覧格納部における国番号を特定するように構成することによって、サービス享受可能なネットワークをより迅速に検出できる。
【発明を実施するための最良の形態】
【００１６】
実施の形態１．
以下、本発明の実施の形態を図面を参照して説明する。
図１は、複数の通信方式に対応した無線通信端末装置（以下、複合型無線端末装置という。）の第１の実施の形態の構成例を示すブロック図である。図１に示す構成では、複合型無線端末装置は、アンテナ１、アンテナ切替器２、ＣＤＭＡ無線機３（第１の無線通信手段）、ＴＤＭＡ無線機４（第２の無線通信手段）、制御部５および周波数データ格納メモリ１３を含む。また、複合型無線端末装置は、例えば携帯電話機として実現される。なお、ここでは、複数種類の通信方式としてＣＤＭＡ方式とＴＤＭＡ方式とを例示するが、複合型無線端末装置は、ＴＤＭＡ方式に代えて、またはＴＤＭＡ方式に加えて、他の通信方式に対応した端末装置であってもよい。
【００１７】
アンテナ１は、ＣＤＭＡ方式およびＴＤＭＡ方式の通信で使用される周波数の電波を送受信する。アンテナ切替器２は、制御部５の指令に従って、アンテナ１をＣＤＭＡ無線機３とＴＤＭＡ無線機４とのうちのいずれかに接続する。制御部５は、アンテナ切替器２に切替指令を与え、ＣＤＭＡ無線機３およびＴＤＭＡ無線機４に動作指令を与える他、複合型無線端末装置に設けられているテンキーなどの入力部１４、表示部（図示せず）、音声出力部（図示せず）、音声回路（図示せず）等の制御も行う。制御部５は、例えばマイクロプロセッサで実現されている。また、制御部５は、基地局から国番号を取得する国番号取得手段、基地局が使用している周波数を特定する周波数特定手段、ネットワーク検索を実行するネットワーク検索実行手段および位置登録を実行する位置登録実行手段を実現する。
【００１８】
ＣＤＭＡ無線機３は、ＣＤＭＡ受信部６、ＣＤＭＡ送信部７およびＣＤＭＡベースバンド部８を含む。ＴＤＭＡ無線機４は、ＴＤＭＡ受信部９、ＴＤＭＡ送信部１０およびＴＤＭＡベースバンド部１１を含む。
【００１９】
ＣＤＭＡ受信部６は、アンテナ１で受信された高周波信号について受信周波数同期の確立等の復調処理等を行う。ＣＤＭＡ送信部７は、ＣＤＭＡベースバンド部８から出力されたデータ信号で無線周波数の搬送波を変調する処理等を行う。ＣＤＭＡベースバンド部８は、ＣＤＭＡ受信部６から出力されたデータ信号に対する逆拡散処理等を行うとともに、制御部５から出力されたデータに対する拡散処理等を行う。
【００２０】
図２は、周波数データ格納メモリ１３に格納されているデータの一例を示す説明図である。図２に示す例では、周波数データ格納メモリ１３は、国番号と国番号が示す国において使用されているＣＤＭＡ方式の無線周波数を示すデータ（周波数データ）とを対応させてあらかじめ格納する領域である周波数一覧格納部１３ａと、最後に位置登録したときに用いられた無線周波数を示すデータ（周波数データ）を格納する領域である位置登録周波数格納部１３ｂとを含む。制御部５は、位置登録を実行する毎に、位置登録周波数格納部１３ｂの内容に、そのときに用いた無線周波数を示すデータを上書きする。
【００２１】
次に、図３のフローチャートを参照して、複合型無線端末装置によるネットワーク検索方法を説明する。
【００２２】
複合型無線端末装置に電源が投入されると、制御部５は、ＣＤＭＡ無線機３を起動する（ステップＳ１）。また、アンテナ切替器２に、アンテナ１がＣＤＭＡ無線機３に接続されるように切り替える指令を与える。そして、位置登録周波数格納部１３ｂに格納されている周波数データすなわち最後に位置登録したときに用いられた周波数データが示す周波数で、サービス享受が可能か否かを調べるためのネットワーク検索を実行する（ステップＳ２）。すなわち、制御部５は、ＣＤＭＡ無線機３に、最後に位置登録したときに用いられた周波数を通知する。ＣＤＭＡ無線機３は、制御部５から通知された周波数で受信周波数同期の確立を試みる。
【００２３】
ＣＤＭＡ無線機３において、ＣＤＭＡ受信部６およびＣＤＭＡベースバンド部８によって受信周波数同期が確立され、擬似乱数符号の同期が確立された後、ＣＤＭＡ受信部６およびＣＤＭＡベースバンド部８は、基地局から送信されている報知情報を復調して制御部５に出力する。制御部５は、報知情報内の国番号および事業者番号を取り出し、サービス享受可能か否か判断する。具体的には、複合型無線端末装置にあらかじめ記憶されている国番号および事業者番号（複合型無線端末装置がサービス享受可能か否か判断するための情報）と、報知情報に含まれていた国番号および事業者番号とを比較する。それらが一致したことにより、サービス享受可能なネットワークであると判断された場合には（ステップＳ３）、制御部５は、検出されたネットワークとの間での位置登録処理を開始する（ステップＳ４）。
【００２４】
サービス享受可能なネットワークでないと判断された場合には、制御部５は、ＴＤＭＡ無線機４を起動する（ステップＳ５）。また、アンテナ切替器２に、アンテナ１がＴＤＭＡ無線機４に接続されるように切り替える指令を与える。そして、ＴＤＭＡ方式の無線通信サービスを利用して国番号を取得する処理を開始する（ステップＳ６）。すなわち、ＴＤＭＡ受信部９は、ＴＤＭＡ方式を用いた基地局の検索を実施する。そして、ＴＤＭＡ方式の所定の無線周波数で基地局から送信されている電波による信号を受信できたら、ＴＤＭＡ方式を用いた基地局が送信する報知情報の復調を実施し、ＴＤＭＡベースバンド部１１を介して、復調の結果得られたデータを制御部５に出力する。制御部５は、復調の結果得られたデータ（報知情報）から国番号を取り出す処理を実施する。
【００２５】
次いで、制御部５は、取り出した国番号を用いて、周波数一覧格納部１３ａを検索する（ステップＳ７）。図２に例示されているように、周波数一覧格納部１３ａには、国番号と国番号が示す国において使用されているＣＤＭＡ方式の周波数データとが対応させて格納されている。制御部５は、復調の結果得られたデータから取り出した国番号に対応する周波数データを抽出する。そして、抽出した周波数データが示す周波数で、サービス享受が可能か否かを調べるためのネットワーク検索を実行する（ステップＳ８）。すなわち、制御部５は、ＣＤＭＡ無線機３に、周波数一覧格納部１３ａから抽出した周波数データが示す周波数を通知する。ＣＤＭＡ無線機３は、制御部５から通知された周波数で受信周波数同期の確立を試みる。
【００２６】
ＣＤＭＡ受信部６およびＣＤＭＡベースバンド部８によって受信周波数同期が確立され、擬似乱数符号の同期が確立された後、ＣＤＭＡ受信部６およびＣＤＭＡベースバンド部８は、基地局から送信されている報知情報を復調して制御部５に出力する。制御部５は、報知情報内の国番号および事業者番号を取り出し、サービス享受可能か否か判断する（ステップＳ９）。その結果、サービス享受可能なネットワークであると判断された場合には、制御部５は、検出されたネットワークとの間での位置登録処理を開始する（ステップＳ４）。
【００２７】
なお、図２に示すように国番号に対応する周波数が複数ある場合には、サービス享受可能なネットワークであると判断されるまで、または、全ての周波数について処理を終えるまで、周波数を変更しながら、ステップＳ８およびＳ９の処理を実行する。
【００２８】
全ての周波数についてサービス享受可能なネットワークでないと判断された場合には、ＣＤＭＡ方式でのサービス享受をあきらめ、ステップＳ６の処理で検出したＴＤＭＡ方式でのサービスを享受するために、ＴＤＭＡ方式を用いたネットワークとの間で位置登録処理が開始される。すなわち、制御部５は、ＴＤＭＡ無線機４を起動し、アンテナ切替器２に、アンテナ１がＴＤＭＡ無線機４に接続されるように切り替える指令を与える。そして、ＴＤＭＡ無線機４は、位置登録処理を開始する。
【００２９】
以上のように、第１の実施の形態の複合型無線通信端末装置のネットワーク検索方法では、一度もサービスを享受したことのないエリアでのネットワーク検索を実行する場合に、複合型無線端末装置に電源が投入されると、複合型無線端末装置は、まず、通信可能なネットワークが、最後に位置登録していた周波数でサービス享受可能なネットワークであるか否か確認する。最後に位置登録していた周波数でサービス享受可能なネットワークでないと判断したときには、複合型無線端末装置が存在する周辺エリアの国番号を取得するために、ＴＤＭＡ通信手段１０２を起動する。そして、ＴＤＭＡ方式を利用した基地局から送信される報知情報内の国番号を取り出す。次いで、取り出した国番号で、国番号に対応するＣＤＭＡ方式を利用した基地局の周波数一覧表を格納する周波数一覧格納部１３ａを検索することによって、ＣＤＭＡ方式のサービスが享受可能な周波数を割り出す。そして、割り出した周波数でＣＤＭＡ方式を用いたネットワーク検索を実施する。
【００３０】
このように、この実施の形態では、ＴＤＭＡ方式による通信にもとづいて、複合型無線端末装置が存在する周辺エリアでサービスしているＣＤＭＡ方式の基地局の周波数を検索することが可能である。よって、設定された受信周波数に応じて、毎回、受信周波数同期の確立、擬似乱数符号同期の確立、報知情報の復調などの処理を繰り返す必要がなくなる。すなわち、渡航の場合など、過去も含め、一度もサービスを享受したことのないエリアでのネットワーク検索の場合に、設定された受信周波数に応じて、毎回、受信周波数同期の確立、擬似乱数符号同期の確立、報知情報の復調などの処理を繰り返す必要がなくなる。つまり、ＣＤＭＡ方式を用いたネットワークの検索を迅速に遂行できるという効果が得られる。
【００３１】
実施の形態２．
上記の実施の形態では、複合型無線通信端末装置に、報知情報内の国番号に対応する周波数一覧表を格納する周波数一覧格納部１３ａを設けたが、図４に示すように、国番号に対応させて国名も一覧表に記載するようにしてもよい。周波数一覧格納部１３ａをそのように構成した場合には、ＣＤＭＡ方式を用いたネットワークの検索をさらに簡略化することができる。
【００３２】
図５は、図４に示すような周波数一覧格納部１３ａを備えた第２の実施の形態の複合型無線通信端末装置によるネットワーク検索方法を示すフローチャートである。なお、第２の実施の形態の複合型無線通信端末装置の基本的な構成は、図１に示された構成と同じである。
【００３３】
複合型無線通信端末装置において、ＣＤＭＡ無線機３は、第１の実施の形態の場合と同様に、最後に位置登録していたときの受信周波数で受信周波数同期の確立を試みる（ステップＳ１，Ｓ２）。その結果、サービス享受可能なネットワークであると判断された場合には（ステップＳ３）、制御部５は、検出されたネットワークとの間での位置登録処理を開始する（ステップＳ４）。
【００３４】
サービス享受可能なネットワークでないと判断した場合には、制御部５は、例えば、表示部（図１において図示せず）に、国名の入力を促すメッセージを表示する（ステップＳ１１）。その表示に応じてユーザが入力部１４から国名を入力した場合には（ステップＳ１２）、制御部５は、周波数一覧格納部１３ａに格納されている情報にもとづいて、入力された国名に対応する国番号を認識する（ステップＳ１３）。そして、認識した国番号を用いて、周波数一覧格納部１３ａを検索する（ステップＳ７）。その後、第１の実施の形態の場合と同様の処理を実行する。また、あらかじめ決められた所定時間内にユーザが国番号を入力しない場合には、制御部５は、ステップＳ５の処理を実行する。
【００３５】
この実施の形態では、周波数一覧格納部１３ａに国番号と国名との対応関係を格納し、ユーザに、直接、渡航先などの国名を入力させ、複合型無線通信端末装置は、国名に従って、入力された国番号に対応するＣＤＭＡ方式を利用した基地局の周波数一覧表を格納する周波数一覧格納部１３ａを検索する。よって、ＴＤＭＡ無線機４を起動することなく、過去も含め、一度もサービスを享受したことのないエリアでのＣＤＭＡ方式を用いたネットワークのネットワーク検索において、検索をより迅速に遂行できる。なお、ユーザに入力させる情報は国名そのものではなく、国番号を特定可能な情報であれば他の情報を入力させるようにしてもよい。
【産業上の利用可能性】
【００３６】
本発明は、ＴＤＭＡ方式による通信機能とＣＤＭＡ方式による通信機能との双方を備えた携帯電話機などの複合型無線通信端末装置に対して好適に適用される。
【図面の簡単な説明】
【００３７】
【図１】複合型無線端末装置の構成例を示すブロック図である。
【図２】周波数データ格納メモリに格納されているデータの一例を示す説明図である。
【図３】第１の実施の形態の複合型無線端末装置によるネットワーク検索方法を示すフローチャートである。
【図４】周波数データ格納メモリに格納されているデータの他の例を示す説明図である。
【図５】第２の実施の形態の複合型無線端末装置によるネットワーク検索方法を示すフローチャートである。
【符号の説明】
【００３８】
１      アンテナ
２      アンテナ切替部
３      ＣＤＭＡ無線機
４      ＴＤＭＡ無線機
５      制御部
６      ＣＤＭＡ受信部
７      ＣＤＭＡ送信部
８      ＣＤＭＡベースバンド部
９      ＴＤＭＡ受信部
１０    ＴＤＭＡ送信部
１１    ＴＤＭＡベースバンド部
１３    メモリ
１３ａ  周波数一覧格納部
１３ｂ  位置登録周波数格納部
１４    入力部
【図１】
2006314037.tif 000003
【図２】
2006314037.tif 000004
【図３】
2006314037.tif 000005
【図４】
2006314037.tif 000006
【図５】
2006314037.tif 000007